(57)【要約】【課題】１回の印刷命令で複数の画像形成装置において印刷処理を可能とする画像形成システムを提供する。【解決手段】情報処理装置（１００）と、複数の画像形成装置（２００−１〜Ｎ：Ｎは、任意の整数）と、を有して構成される画像形成システムであり、情報処理装置（１００）は、画像形成装置（２００−１〜Ｎ）において解釈可能な複数のＰＤＬ（Page Description Language）を選択するＰＤＬ選択手段（１０３３）と、画像情報をＰＤＬ選択手段（１０３３）により選択された複数のＰＤＬに変換するＰＤＬ変換手段（１０３４−１〜Ｎ：Ｎは、任意の整数）と、ＰＤＬ変換手段（１０３４−１〜Ｎ）により変換した複数のＰＤＬを複数の画像形成装置（２００−１〜Ｎ）に送信し、複数の画像形成装置（２００−１〜Ｎ）において画像情報の印刷を行うように制御する印刷出力制御手段（１０３５）と、を有することを特徴とする。【選択図】図２
2008046821.tif 000002
【特許請求の範囲】
【請求項１】
情報処理装置と、複数の画像形成装置と、を有して構成される画像形成システムであって、
前記情報処理装置は、
前記画像形成装置において解釈可能な複数のＰＤＬ（Page Description Language）を選択するＰＤＬ選択手段と、
画像情報を前記ＰＤＬ選択手段により選択された複数の前記ＰＤＬに変換するＰＤＬ変換手段と、
前記ＰＤＬ変換手段により変換した複数の前記ＰＤＬを複数の画像形成装置に送信し、前記複数の画像形成装置において前記画像情報の印刷を行うように制御する印刷出力制御手段と、
を有することを特徴とする画像形成システム。
【請求項２】
前記情報処理装置は、
前記画像情報を複数の前記ＰＤＬに変換可能な中間データ形式に変換する中間データ変換手段を有し、
前記ＰＤＬ変換手段は、
前記中間データ変換手段により変換された中間データ形式を、前記ＰＤＬ選択手段により選択された複数の前記ＰＤＬに変換することを特徴とする請求項１記載の画像形成システム。
【請求項３】
前記情報処理装置は、
前記画像形成装置において解釈可能な様々な仕様の前記ＰＤＬに変換する複数のＰＤＬ変換手段を有し、
前記ＰＤＬ選択手段は、
前記複数のＰＤＬ変換手段の中から、複数の前記ＰＤＬに変換可能なＰＤＬ変換手段を選択することを特徴とする請求項１記載の画像形成システム。
【請求項４】
前記情報処理装置は、
前記画像情報の画像形成を行う複数の画像形成装置を選択する画像形成装置選択手段を有することを特徴とする請求項１記載の画像形成システム。
【請求項５】
前記情報処理装置は、
前記情報処理装置において動作するアプリケーションを選択するアプリケーション選択手段を有することを特徴とする請求項１記載の画像形成システム。
【請求項６】
前記情報処理装置は、
前記ＰＤＬ変換手段により変換した複数の前記ＰＤＬを保存する記憶手段と、
前記ＰＤＬ変換手段により変換した複数の前記ＰＤＬをプレビュー表示するプレビュー表示手段と、を有し、
前記印刷出力制御手段は、
前記プレビュー表示した複数の前記ＰＤＬの印刷要求を受け付けた際に、前記記憶手段に記憶した複数の前記ＰＤＬを読み出し、該読み出した複数の前記ＰＤＬを複数の画像形成装置に送信し、前記複数の画像形成装置において印刷を行うように制御することを特徴とする請求項１記載の画像形成システム。
【請求項７】
前記情報処理装置は、
前記ＰＤＬ変換手段により変換した複数の前記ＰＤＬを前記複数の画像形成装置において保存するように制御する制御手段と、
前記ＰＤＬ変換手段により変換した複数の前記ＰＤＬをプレビュー表示するプレビュー表示手段と、を有し、
前記印刷出力制御手段は、
前記プレビュー表示した複数の前記ＰＤＬの印刷要求を受け付けた際に、前記印刷要求を前記複数の画像形成装置に送信し、前記複数の画像形成装置において印刷を行うように制御することを特徴とする請求項１記載の画像形成システム。
【請求項８】
複数の画像形成装置と接続される情報処理装置であって、
前記画像形成装置において解釈可能な複数のＰＤＬ（Page Description Language）を選択するＰＤＬ選択手段と、
画像情報を前記ＰＤＬ選択手段により選択された複数の前記ＰＤＬに変換するＰＤＬ変換手段と、
前記ＰＤＬ変換手段により変換した複数の前記ＰＤＬを複数の画像形成装置に送信し、前記複数の画像形成装置において前記画像情報の印刷を行うように制御する印刷出力制御手段と、
を有することを特徴とする情報処理装置。
【請求項９】
前記画像情報を複数の前記ＰＤＬに変換可能な中間データ形式に変換する中間データ変換手段を有し、
前記ＰＤＬ変換手段は、
前記中間データ変換手段により変換された中間データ形式を、前記ＰＤＬ選択手段により選択された複数の前記ＰＤＬに変換することを特徴とする請求項８記載の情報処理装置。
【請求項１０】
前記画像形成装置において解釈可能な様々な仕様の前記ＰＤＬに変換する複数のＰＤＬ変換手段を有し、
前記ＰＤＬ選択手段は、
前記複数のＰＤＬ変換手段の中から、複数の前記ＰＤＬに変換可能なＰＤＬ変換手段を選択することを特徴とする請求項８記載の情報処理装置。
【請求項１１】
前記画像情報の画像形成を行う複数の画像形成装置を選択する画像形成装置選択手段を有することを特徴とする請求項８記載の情報処理装置。
【請求項１２】
前記情報処理装置において動作するアプリケーションを選択するアプリケーション選択手段を有することを特徴とする請求項８記載の情報処理装置。
【請求項１３】
前記ＰＤＬ変換手段により変換した複数の前記ＰＤＬを保存する記憶手段と、
前記ＰＤＬ変換手段により変換した複数の前記ＰＤＬをプレビュー表示するプレビュー表示手段と、を有し、
前記印刷出力制御手段は、
前記プレビュー表示した複数の前記ＰＤＬの印刷要求を受け付けた際に、前記記憶手段に記憶した複数の前記ＰＤＬを読み出し、該読み出した複数の前記ＰＤＬを複数の画像形成装置に送信し、前記複数の画像形成装置において印刷を行うように制御することを特徴とする請求項８記載の情報処理装置。
【請求項１４】
前記ＰＤＬ変換手段により変換した複数の前記ＰＤＬを前記複数の画像形成装置において保存するように制御する制御手段と、
前記ＰＤＬ変換手段により変換した複数の前記ＰＤＬをプレビュー表示するプレビュー表示手段と、を有し、
前記印刷出力制御手段は、
前記プレビュー表示した複数の前記ＰＤＬの印刷要求を受け付けた際に、前記印刷要求を前記複数の画像形成装置に送信し、前記複数の画像形成装置において印刷を行うように制御することを特徴とする請求項８記載の情報処理装置。
【請求項１５】
複数の画像形成装置と接続される情報処理装置で行う印刷制御方法であって、
前記画像形成装置において解釈可能な複数のＰＤＬ（Page Description Language）を選択するＰＤＬ選択工程と、
画像情報を前記ＰＤＬ選択工程により選択された複数の前記ＰＤＬに変換するＰＤＬ変換工程と、
前記ＰＤＬ変換工程により変換した複数の前記ＰＤＬを複数の画像形成装置に送信し、前記複数の画像形成装置において前記画像情報の印刷を行うように制御する印刷出力制御工程と、
を、前記情報処理装置が行うことを特徴とする印刷制御方法。
【請求項１６】
複数の画像形成装置と接続される情報処理装置において実行させる印刷制御プログラムであって、
前記画像形成装置において解釈可能な複数のＰＤＬ（Page Description Language）を選択するＰＤＬ選択処理と、
画像情報を前記ＰＤＬ選択処理により選択された複数の前記ＰＤＬに変換するＰＤＬ変換処理と、
前記ＰＤＬ変換処理により変換した複数の前記ＰＤＬを複数の画像形成装置に送信し、前記複数の画像形成装置において前記画像情報の印刷を行うように制御する印刷出力制御処理と、
を、前記情報処理装置において実行させることを特徴とする印刷制御プログラム。
【発明の詳細な説明】
【技術分野】
【０００１】
本発明は、情報処理装置と、複数の画像形成装置と、を有して構成される画像形成システムに関し、特に、情報処理装置から特定の画像形成装置に対し、画像情報を送信し、その特定の画像形成装置において画像情報を印刷することが可能な画像形成システム、情報処理装置、印刷制御方法及び印刷制御プログラムに関するものである。
【背景技術】
【０００２】
図１に示すように、情報処理装置（１００）と、複数の画像形成装置（２００−１〜Ｎ：Ｎは、任意の整数）と、が接続して構成される画像形成システムにおける一般的な印刷処理としては、情報処理装置（１００）において生成した画像情報を、特定の画像形成装置（２００−１〜Ｎ）に送信し、その特定の画像形成装置（２００−１〜Ｎ）において印刷するように制御する方法が挙げられる。以下、情報処理装置（１００）と、複数の画像形成装置（２００−１〜Ｎ）と、が接続して構成される画像形成システムにおける一般的な印刷処理について概略的に説明する。
【０００３】
まず、情報処理装置（１００）において動作するアプリケーションが生成した画像情報を、その同一の情報処理装置（１００）において動作するＯＳ（Operating System）が受け付け、ＯＳは、画像情報をプリンタドライバに渡す。
【０００４】
プリンタドライバは、ＯＳから受け付けた画像情報を画像形成装置（２００−１〜Ｎ）において解釈可能なＰＤＬ（Page Description Language）等の記述形式のデータに変換し、該変換したＰＤＬ等の記述形式のデータを特定の画像形成装置（２００−１〜Ｎ）に送信する。
【０００５】
画像形成装置（２００−１〜Ｎ）は、プリンタドライバから受信した記述形式のデータを基に、画像情報の印刷処理を行うことになる。
【０００６】
なお、アプリケーションからＯＳへの画像情報の受け渡しは、ＯＳが提供するＡＰＩ（Application Program Interface）を呼び出して行うことになる。また、アプリケーションは、どのプリンタドライバを使用しても同じＡＰＩで印刷処理を実行することが可能である。
【０００７】
また、ＯＳは、アプリケーションからの印刷命令を受け付けるＡＰＩと、その印刷命令をプリンタドライバに渡すＡＰＩと、を保持している。
【０００８】
また、プリンタドライバは、ＯＳが保持する上述したＡＰＩを保持することで、どのアプリケーションから印刷命令を受け付けた場合でも印刷処理を行うことが可能となる。また、プリンタドライバは、ＯＳから受け付けた印刷命令を様々な仕様のＰＤＬ等の記述形式のデータに変換し、画像形成装置（２００−１〜Ｎ）に送信することになる。
【０００９】
なお、一般的に知られているＰＤＬとしては、Postscript，ＰＣＬ，ＨＰ−ＧＬなどが挙げられる。また、ラスタ形式のＰＤＬもある。
【００１０】
また、プリンタドライバが様々な仕様のＰＤＬ等の記述形式のデータに変換するためには、その様々な仕様のＰＤＬ等の記述形式のデータにも変換可能な形式（中間データ形式）に変換した後に、画像形成装置（２００−１〜Ｎ）において解釈可能なＰＤＬに変換することになる。このように、プリンタドライバは、画像形成装置（２００−１〜Ｎ）において解釈可能な様々な仕様のＰＤＬの記述形式のデータに変換する責務がある。
【００１１】
また、プリンタドライバがＰＤＬを選択する指針としては、画像形成装置（２００−１〜Ｎ）において解釈可能なＰＤＬが１つの場合には、ＰＤＬを選択する余地はないが、画像形成装置（２００−１〜Ｎ）において解釈可能なＰＤＬが複数存在する場合には、プリンタドライバのＧＵＩ（Graphical User Interface）を用いてユーザがＰＤＬを選択することになる。
【００１２】
さらに、プリンタドライバの中で印刷データの特性をみてＰＤＬを選択したり、印刷データに含まれる文字、イメージ、線、図形などの印刷データの特性を考慮してＰＤＬを選択したりすることになる。
【００１３】
なお、本発明より先に出願された技術文献として、ネットワーク上に、複数のコンピュータと、それぞれ作像プロセスが異なる作像エンジンでなる複数の画像形成装置と、前記複数のコンピュータからの印刷要求に応じた選択処理を実行する選択処理手段と、を有する画像形成システムであって、前記選択処理手段は、印刷要求の文書の印刷品質、印刷枚数などの印刷属性情報を収集し、異なる作像エンジンを有する複数の画像形成装置の中から、前記印刷属性情報にしたがって画像形成装置を選択し、印刷属性に適合した画像形成装置を選択することにより、柔軟で、かつスループットの高い印刷を実現させる画像形成システムについて開示された文献がある（例えば、特許文献１参照）。
【００１４】
また、ホストコンピュータのアプリケーションプログラムにより作成した描画データを印刷出力するためにプリンタドライバからプリンタへ出力する技術について開示された文献がある（例えば、特許文献２参照）。
【特許文献１】特開２００２−２６８８５５号公報
【特許文献２】特開２００５−３８０８４号公報
【発明の開示】
【発明が解決しようとする課題】
【００１５】
しかしながら、上述した従来のプリンタドライバは、１回の印刷命令で１つのＰＤＬを選択し、１つの画像形成装置においてしか印刷処理を行うことができなかった。
【００１６】
また、従来のプレビューワークフローは、中間データ形式をプレビュー用のデータ形式に変換し、該変換したデータをプレビュー表示し、ユーザが印刷命令を行った後に、中間データ形式から画像形成装置において解釈可能なＰＤＬに変換し、特定の画像形成装置において印刷処理を行っていた。このため、ユーザが印刷命令を行った後に、画像形成装置において印刷処理を行うまでに時間がかかってしまうことになる。
【００１７】
また、上記特許文献１や２においても、上述した従来のプリンタドライバや、プレビューワークフローについての問題点を解消することについては何ら考慮されていない。
【００１８】
本発明は、上記事情に鑑みてなされたものであり、１回の印刷命令で複数の画像形成装置において印刷処理を可能とする画像形成システム、情報処理装置、印刷制御方法及び印刷制御プログラムを提供することを目的とするものである。
【課題を解決するための手段】
【００１９】
かかる目的を達成するために、本発明は、以下の特徴を有することとする。
【００２０】
本発明にかかる画像形成システムは、情報処理装置と、複数の画像形成装置と、を有して構成される画像形成システムであって、情報処理装置は、画像形成装置において解釈可能な複数のＰＤＬ（Page Description Language）を選択するＰＤＬ選択手段と、画像情報をＰＤＬ選択手段により選択された複数のＰＤＬに変換するＰＤＬ変換手段と、ＰＤＬ変換手段により変換した複数のＰＤＬを複数の画像形成装置に送信し、複数の画像形成装置において画像情報の印刷を行うように制御する印刷出力制御手段と、を有することを特徴とするものである。
【００２１】
また、本発明にかかる画像形成システムにおいて、情報処理装置は、画像情報を複数のＰＤＬに変換可能な中間データ形式に変換する中間データ変換手段を有し、ＰＤＬ変換手段は、中間データ変換手段により変換された中間データ形式を、ＰＤＬ選択手段により選択された複数のＰＤＬに変換することを特徴とするものである。
【００２２】
また、本発明にかかる画像形成システムにおいて、情報処理装置は、画像形成装置において解釈可能な様々な仕様のＰＤＬに変換する複数のＰＤＬ変換手段を有し、ＰＤＬ選択手段は、複数のＰＤＬ変換手段の中から、複数のＰＤＬに変換可能なＰＤＬ変換手段を選択することを特徴とするものである。
【００２３】
また、本発明にかかる画像形成システムにおいて、情報処理装置は、画像情報の画像形成を行う複数の画像形成装置を選択する画像形成装置選択手段を有することを特徴とするものである。
【００２４】
また、本発明にかかる画像形成システムにおいて、情報処理装置は、情報処理装置において動作するアプリケーションを選択するアプリケーション選択手段を有することを特徴とするものである。
【００２５】
また、本発明にかかる画像形成システムにおいて、情報処理装置は、ＰＤＬ変換手段により変換した複数のＰＤＬを保存する記憶手段と、ＰＤＬ変換手段により変換した複数のＰＤＬをプレビュー表示するプレビュー表示手段と、を有し、印刷出力制御手段は、プレビュー表示した複数のＰＤＬの印刷要求を受け付けた際に、記憶手段に記憶した複数のＰＤＬを読み出し、該読み出した複数のＰＤＬを複数の画像形成装置に送信し、複数の画像形成装置において印刷を行うように制御することを特徴とするものである。
【００２６】
また、本発明にかかる画像形成システムにおいて、情報処理装置は、ＰＤＬ変換手段により変換した複数のＰＤＬを複数の画像形成装置において保存するように制御する制御手段と、ＰＤＬ変換手段により変換した複数のＰＤＬをプレビュー表示するプレビュー表示手段と、を有し、印刷出力制御手段は、プレビュー表示した複数のＰＤＬの印刷要求を受け付けた際に、印刷要求を複数の画像形成装置に送信し、複数の画像形成装置において印刷を行うように制御することを特徴とするものである。
【００２７】
また、本発明にかかる情報処理装置は、複数の画像形成装置と接続される情報処理装置であって、画像形成装置において解釈可能な複数のＰＤＬ（Page Description Language）を選択するＰＤＬ選択手段と、画像情報をＰＤＬ選択手段により選択された複数のＰＤＬに変換するＰＤＬ変換手段と、ＰＤＬ変換手段により変換した複数のＰＤＬを複数の画像形成装置に送信し、複数の画像形成装置において画像情報の印刷を行うように制御する印刷出力制御手段と、を有することを特徴とするものである。
【００２８】
また、本発明にかかる情報処理装置は、画像情報を複数のＰＤＬに変換可能な中間データ形式に変換する中間データ変換手段を有し、ＰＤＬ変換手段は、中間データ変換手段により変換された中間データ形式を、ＰＤＬ選択手段により選択された複数のＰＤＬに変換することを特徴とするものである。
【００２９】
また、本発明にかかる情報処理装置は、画像形成装置において解釈可能な様々な仕様のＰＤＬに変換する複数のＰＤＬ変換手段を有し、ＰＤＬ選択手段は、複数のＰＤＬ変換手段の中から、複数のＰＤＬに変換可能なＰＤＬ変換手段を選択することを特徴とするものである。
【００３０】
また、本発明にかかる情報処理装置は、画像情報の画像形成を行う複数の画像形成装置を選択する画像形成装置選択手段を有することを特徴とするものである。
【００３１】
また、本発明にかかる情報処理装置は、情報処理装置において動作するアプリケーションを選択するアプリケーション選択手段を有することを特徴とするものである。
【００３２】
また、本発明にかかる情報処理装置は、ＰＤＬ変換手段により変換した複数のＰＤＬを保存する記憶手段と、ＰＤＬ変換手段により変換した複数のＰＤＬをプレビュー表示するプレビュー表示手段と、を有し、印刷出力制御手段は、プレビュー表示した複数のＰＤＬの印刷要求を受け付けた際に、記憶手段に記憶した複数のＰＤＬを読み出し、該読み出した複数のＰＤＬを複数の画像形成装置に送信し、複数の画像形成装置において印刷を行うように制御することを特徴とするものである。
【００３３】
また、本発明にかかる情報処理装置は、ＰＤＬ変換手段により変換した複数のＰＤＬを複数の画像形成装置において保存するように制御する制御手段と、ＰＤＬ変換手段により変換した複数のＰＤＬをプレビュー表示するプレビュー表示手段と、を有し、印刷出力制御手段は、プレビュー表示した複数のＰＤＬの印刷要求を受け付けた際に、印刷要求を複数の画像形成装置に送信し、複数の画像形成装置において印刷を行うように制御することを特徴とするものである。
【００３４】
また、本発明にかかる印刷制御方法は、複数の画像形成装置と接続される情報処理装置で行う印刷制御方法であって、画像形成装置において解釈可能な複数のＰＤＬ（Page Description Language）を選択するＰＤＬ選択工程と、画像情報をＰＤＬ選択工程により選択された複数のＰＤＬに変換するＰＤＬ変換工程と、ＰＤＬ変換工程により変換した複数のＰＤＬを複数の画像形成装置に送信し、複数の画像形成装置において画像情報の印刷を行うように制御する印刷出力制御工程と、を、情報処理装置が行うことを特徴とするものである。
【００３５】
また、本発明にかかる印刷制御プログラムは、複数の画像形成装置と接続される情報処理装置において実行させる印刷制御プログラムであって、画像形成装置において解釈可能な複数のＰＤＬ（Page Description Language）を選択するＰＤＬ選択処理と、画像情報をＰＤＬ選択処理により選択された複数のＰＤＬに変換するＰＤＬ変換処理と、ＰＤＬ変換処理により変換した複数のＰＤＬを複数の画像形成装置に送信し、複数の画像形成装置において画像情報の印刷を行うように制御する印刷出力制御処理と、を、情報処理装置において実行させることを特徴とするものである。
【発明の効果】
【００３６】
本発明によれば、１回の印刷命令で複数の画像形成装置において印刷処理を行うことが可能となる。
【発明を実施するための最良の形態】
【００３７】
まず、本実施形態の画像形成システムの特徴について説明する。
【００３８】
本実施形態における画像形成システムは、図１に示すように、情報処理装置（１００）と、複数の画像形成装置（２００−１〜Ｎ：Ｎは、任意の整数）と、を有して構成される画像形成システムである。
【００３９】
そして、情報処理装置（１００）は、図２に示すように、画像形成装置（２００−１〜Ｎ）において解釈可能な複数のＰＤＬ（Page Description Language）を選択するＰＤＬ選択手段（１０３３）と、画像情報をＰＤＬ選択手段（１０３３）により選択された複数のＰＤＬに変換するＰＤＬ変換手段（１０３４−１〜Ｎ：Ｎは、任意の整数）と、ＰＤＬ変換手段（１０３４−１〜Ｎ）により変換した複数のＰＤＬを複数の画像形成装置（２００−１〜Ｎ）に送信し、複数の画像形成装置（２００−１〜Ｎ）において画像情報の印刷を行うように制御する印刷出力制御手段（１０３５）と、を有することを特徴とするものである。
【００４０】
これにより、１回の印刷命令で複数の画像形成装置（２００−１〜Ｎ）において印刷処理を行うことが可能となる。以下、添付図面を参照しながら、本実施形態の画像形成システムについて説明する。
【００４１】
＜画像形成システムのシステム構成＞
まず、図１を参照しながら、本実施形態における画像形成システムのシステム構成について説明する。
【００４２】
本実施形態における画像形成システムは、情報処理装置（１００）と、複数の画像形成装置（２００−１〜Ｎ：Ｎは、任意の整数）と、がネットワーク（３００）を介して接続して構成される。
【００４３】
なお、情報処理装置（１００）は、ＰＣ等の情報処理装置が挙げられる。なお、本実施形態における情報処理装置（１００）は、画像処理が可能な装置であれば、あらゆる装置が適用可能である。また、画像形成装置（２００−１〜Ｎ）は、印刷処理が可能な装置であればあらゆる装置が適用可能である。また、ネットワーク（３００）は、情報処理装置（１００）と、画像形成装置（２００−１〜Ｎ）と、の間で情報の送受信が可能であれば、有線、無線を問わず、あらゆる通信網が適用可能である。
【００４４】
＜情報処理装置１００の内部構成＞
次に、図２を参照しながら、本実施形態の情報処理装置（１００）の内部構成について詳細に説明する。
【００４５】
本実施形態における情報処理装置（１００）は、アプリケーション（１０１）と、ＯＳ（Operating System）（１０２）と、プリンタドライバ（１０３）と、記憶部（１０４）と、表示部（１０５）と、を有して構成される。
【００４６】
アプリケーション（１０１）は、情報処理装置（１００）において動作するソフトウェアである。
【００４７】
ＯＳ（１０２）は、情報処理装置（１００）において行う各種機能を統括して制御するものである。
【００４８】
プリンタドライバ（１０３）は、情報処理装置（１００）と接続された画像形成装置（２００−１〜Ｎ）を制御するためのソフトウェアである。なお、本実施形態におけるプリンタドライバ（１０３）は、ＧＵＩ（Graphical User Interface）（１０３１）と、中間データ変換手段（１０３２）と、ＰＤＬ選択手段（１０３３）と、複数のＰＤＬ変換手段（１０３４−１〜Ｎ）と、印刷出力制御手段（１０３５）と、を有して構成される。
【００４９】
ＧＵＩ（１０３１）は、プリンタドライバ（１０３）において変換可能な複数のＰＤＬの中から特定のＰＤＬをユーザに選択させるための処理を行う。
【００５０】
例えば、記憶部（１０４）には、図３に示すように、ＰＤＬ変換手段（１０３４−１〜Ｎ）の各々において変換可能なＰＤＬ等の記述形式を管理する管理テーブルが格納されており、ＧＵＩ（１０３１）は、記憶部（１０４）に格納されている図３に示すような管理テーブルを基に、図４に示すように、プリンタドライバ（１０３）において変換可能な複数のＰＤＬを選択するための選択画面を情報処理装置（１００）の表示部（１０５）上に表示し、特定のＰＤＬをユーザに選択させるように制御する。これにより、ユーザは、プリンタドライバ（１０３）において変換することになる変換対象のＰＤＬを決定することが可能となる。
【００５１】
なお、図３に示す管理テーブルは、各ＰＤＬ変換手段（１０３４−１〜Ｎ）において変換可能な『変換形式』と関連づけて管理されているテーブル構成を示す。
【００５２】
また、図４に示す選択画面は、一例であり、プリンタドライバ（１０３）において変換可能なＰＤＬを選択するための選択画面を表示部（１０５）上に表示する際の表示方法は、あらゆる表示方法が適用可能である。
【００５３】
また、ＧＵＩ（１０３１）は、情報処理装置（１００）と接続された複数の画像形成装置（２００−１〜Ｎ）の中から印刷処理を行う画像形成装置を選択させるための処理を行うことになる。
【００５４】
例えば、記憶部（１０４）には、図５に示すように、情報処理装置（１００）と接続された複数の画像形成装置（２００−１〜Ｎ）を管理する管理テーブルが格納されており、ＧＵＩ（１０３１）は、記憶部（１０４）に格納されている図５に示すような管理テーブルを基に、図６に示すように、画像形成を行う画像形成装置を選択するための選択画面を表示部（１０５）上に表示し、印刷処理を行う画像形成装置をユーザに選択させるように制御する。これにより、ユーザは、印刷処理を行う印刷対象となる画像形成装置を決定することが可能となる。
【００５５】
なお、図５に示す管理テーブルは、画像形成装置（２００−１〜Ｎ）を識別するための識別情報と、その画像形成装置に接続するための接続情報と、その画像形成装置に関する情報と、を関連づけて管理されているテーブル構成を示す。
【００５６】
また、図６に示す選択画面は、一例であり、画像形成を行う画像形成装置を選択するための選択画面を表示部（１０５）上に表示する際の表示方法は、あらゆる表示方法が適用可能である。
【００５７】
例えば、画像形成装置を識別するための識別情報と共に、画像形成装置と接続するための接続情報を表示部（１０５）上に表示し、情報処理装置（１００）とネットワーク（３００）を介して接続されている画像形成装置を選択する場合には、ＩＰアドレスを選択する。また、情報処理装置（１００）と直接接続されている画像形成装置を選択する場合には、ＵＳＢ，ＩＥＥＥ１２８４，ＩＥＥＥ１３９４などを選択したりするようにすることも可能である。なお、画像形成を行う画像形成装置を選択するための選択方法は、上述した選択方法に限定するものではなく、あらゆる選択方法を適用することが可能である。例えば、画像形成装置（２００−１〜Ｎ）に関する様々な情報（印刷種類（カラー、モノクロ等）、設置場所、空き状態など）を表示部（１０５）上に表示し、該表示した情報を基に、印刷処理を行う画像形成装置を選択させるようにすることも可能である。
【００５８】
また、ＧＵＩ（１０３１）は、情報処理装置（１００）において動作するアプリケーションをユーザに選択させるための処理を行うことになる。これにより、情報処理装置（１００）において動作させるアプリケーションを決定することが可能となる。
【００５９】
中間データ変換手段（１０３２）は、ＯＳ（１０２）から画像情報を受信し、該受信した画像情報を複数のＰＤＬ変換手段（１０３４−１〜Ｎ）においてＰＤＬに変換可能な中間データ形式に変換し、該変換した中間データ形式をＰＤＬ選択手段（１０３３）に送信する。また、中間データ変換手段（１０３２）は、ＧＵＩ（１０３１）によりユーザが選択した変換対象のＰＤＬと、印刷対象の画像形成装置と、に関する選択情報をＯＳ（１０２）から受信し、該受信した選択情報をＰＤＬ選択手段（１０３３）に送信する。
【００６０】
ＰＤＬ選択手段（１０３３）は、中間データ変換手段（１０３２）から選択情報を受信し、該受信した選択情報を基に、中間データ変換手段（１０３２）から受信した中間データ形式を変換するためのＰＤＬ変換手段（１０３４−１〜Ｎ）を選択することになる。
【００６１】
例えば、ＰＤＬ選択手段（１０３３）は、中間データ変換手段（１０３２）から受信した選択情報を基に、記憶部（１０４）に格納されている図３に示す管理テーブルを参照し、中間データ変換手段（１０３２）から受信した選択情報が、PostScriptと、ＰＣＬと、判断した場合には、ＰＤＬ選択手段（１０３３）は、第１のＰＤＬ変換手段（１０３４−１）と、第２のＰＤＬ変換手段（１０３４−２）と、を選択し、中間データ変換手段（１０３２）から受信した中間データ形式を、第１のＰＤＬ変換手段（１０３４−１）と、第２のＰＤＬ変換手段（１０３４−２）と、に送信する。
【００６２】
ＰＤＬ変換手段（１０３４−１〜Ｎ）は、中間データ変換手段（１０３２）から中間データ形式を受信し、該受信した中間データ形式を、画像形成装置（２００−１〜Ｎ）において解釈可能なＰＤＬ等の記述形式に変換する。なお、ＰＤＬとしては、PostScript，ＰＣＬ，ＨＰ−ＧＬなどが挙げられ、例えば、第１のＰＤＬ変換手段（１０３４−１）は、中間データ形式をPostScriptの記述形式に変換し、第２のＰＤＬ変換手段（１０３４−２）は、中間データ形式をＰＣＬの記述形式に変換し、第ＮのＰＤＬ変換手段（１０３４−Ｎ）は、中間データ形式をＨＰ−ＧＬの記述形式に変換することになる。
【００６３】
印刷出力制御手段（１０３５）は、ＰＤＬ変換手段（１０３４−１〜Ｎ）において変換したＰＤＬを、情報処理装置（１００）と接続された特定の画像形成装置（２００−１〜Ｎ）に送信し、その特定の画像形成装置（２００−１〜Ｎ）において印刷処理を行うように制御する。
【００６４】
＜画像形成システムにおける処理動作＞
次に、図２を参照しながら、本実施形態における画像形成システムの一連の処理動作について詳細に説明する。
【００６５】
まず、アプリケーション（１０１）は、文字や図形などの画像情報を生成し、該生成した画像情報をＯＳ（１０２）に送信する。
【００６６】
ＯＳ（１０２）は、アプリケーション（１０１）から画像情報を受信し、プリンタドライバ（１０３）のＧＵＩ（１０３１）を呼び出し、プリンタドライバ（１０３）において変換可能な複数のＰＤＬの中から特定のＰＤＬをユーザに選択させるための処理と、情報処理装置（１００）と接続された複数の画像形成装置（２００−１〜Ｎ）の中から印刷処理を行う画像形成装置を選択させるための処理と、を行うことになる。
【００６７】
これにより、ユーザは、プリンタドライバ（１０３）において変換する変換対象のＰＤＬを決定すると共に、印刷対象の画像形成装置を決定することになる。
【００６８】
なお、ＯＳ（１０２）は、変換対象となるＰＤＬと、印刷対象となる画像形成装置と、が選択された場合には、アプリケーション（１０１）から受信した画像情報を中間データ変換手段（１０３２）に送信する。また、ＯＳ（１０２）は、変換対象のＰＤＬと、印刷対象の画像形成装置と、の選択情報を中間データ変換手段（１０３２）に送信する。
【００６９】
中間データ変換手段（１０３２）は、ＯＳ（１０２）から画像情報を受信し、該受信した画像情報をプリンタドライバ（１０３）の複数のＰＤＬ変換手段（１０３４−１〜Ｎ）においてＰＤＬに変換可能な中間データ形式に変換し、該変換した中間データ形式をＰＤＬ選択手段（１０３３）に送信する。
【００７０】
また、中間データ変換手段（１０３２）は、ＯＳ（１０２）から選択情報を受信し、該受信した選択情報をＰＤＬ選択手段（１０３３）に送信する。
【００７１】
ＰＤＬ選択手段（１０３３）は、中間データ変換手段（１０３２）から選択情報を受信し、該受信した選択情報を基に、記憶部（１０４）を参照し、中間データ変換手段（１０３２）から受信した中間データ形式を変換対象のＰＤＬに変換するためのＰＤＬ変換手段を、複数のＰＤＬ変換手段（１０３４−１〜Ｎ）の中から選択し、該選択したＰＤＬ変換手段に対し、中間データ形式を送信する。
【００７２】
例えば、ＰＤＬ選択手段（１０３３）は、中間データ変換手段（１０３２）から受信した選択情報を基に、記憶部（１０４）を参照し、中間データ変換手段（１０３２）から受信した選択情報が、第１のＰＤＬ変換手段（１０３４−１）と、第２のＰＤＬ変換手段（１０３４−２）と、において変換する旨を示す情報と判断した場合には、ＰＤＬ選択手段（１０３３）は、第１のＰＤＬ変換手段（１０３４−１）と、第２のＰＤＬ変換手段（１０３４−２）と、を選択し、中間データ変換手段（１０３２）から受信した中間データ形式を、第１のＰＤＬ変換手段（１０３４−１）と、第２のＰＤＬ変換手段（１０３４−２）と、に送信する。
【００７３】
また、ＰＤＬ選択手段（１０３３）は、中間データ変換手段（１０３２）から受信した選択情報を基に、記憶部（１０４）を参照し、印刷対象となる画像形成装置を特定し、該特定した印刷対象となる画像形成装置に関する情報を第１のＰＤＬ変換手段（１０３４−１）と、第２のＰＤＬ変換手段（１０３４−２）と、に送信する。
【００７４】
この場合、第１のＰＤＬ変換手段（１０３４−１）と、第２のＰＤＬ変換手段（１０３４−２）と、は、ＰＤＬ選択手段（１０３３）から中間データ形式を受信し、該受信した中間データ形式を画像形成装置において解釈可能なＰＤＬに変換することになる。そして、第１のＰＤＬ変換手段（１０３４−１）と、第２のＰＤＬ変換手段（１０３４−２）と、は、画像形成装置（２００−１〜Ｎ）において解釈可能なＰＤＬを印刷出力制御手段（１０３５）に送信すると共に、印刷対象となる画像形成装置に関する情報を印刷出力制御手段（１０３５）に送信することになる。
【００７５】
印刷出力制御手段（１０３５）は、第１のＰＤＬ変換手段（１０３４−１）と、第２のＰＤＬ変換手段（１０３４−２）と、からＰＤＬを受信すると共に、印刷対象となる画像形成装置に関する情報を受信する。そして、印刷出力制御手段（１０３５）は、印刷対象となる画像形成装置に対し、第１のＰＤＬ変換手段（１０３４−１）と、第２のＰＤＬ変換手段（１０３４−２）と、から受信したＰＤＬを送信することになる。これにより、印刷対象となる画像形成装置において画像情報の印刷処理が行われることになる。
【００７６】
このように、アプリケーション（１０１）からＯＳ（１０２）を介して印刷命令を受け付けた画像情報を、プリンタドライバ（１０３）において仕様の異なる複数のＰＤＬに変換することが可能な中間的なページ記述言語（中間データ形式）に変換し、該変換した中間データ形式を、画像形成装置（２００−１〜Ｎ）において解釈可能な複数のＰＤＬに変換する。そして、複数のＰＤＬを複数の画像形成装置に送信し、複数の画像形成装置において印刷処理を行うように制御することになる。
【００７７】
これにより、１回の印刷命令により複数の画像形成装置（２００−１〜Ｎ）において印刷処理を同時に行うことが可能となる。従って、同じ画像形成装置に対して印刷処理を複数回実行する場合に比べて、印刷処理を早く行うことが可能となる。
【００７８】
（第２の実施形態）
次に、第２の実施形態について説明する。
【００７９】
第２の実施形態における画像形成システムは、ＰＤＬ変換手段（１０３４−１〜Ｎ）により変換した複数のＰＤＬを記憶部（１０４）において一時的に保存する。そして、ＰＤＬ変換手段（１０３４−１〜Ｎ）により変換した複数のＰＤＬをプレビュー表示する。そして、プレビュー表示した複数のＰＤＬの印刷要求を受け付けた際に、記憶部（１０４）に一時的に記憶した複数のＰＤＬを読み出し、該読み出した複数のＰＤＬを特定の画像形成装置（２００−１）に送信し、特定の画像形成装置（２００−１）において印刷処理を行うように制御することを特徴とするものである。これにより、プレビュー表示をした複数のＰＤＬの印刷要求を受け付けた後に、印刷対象となる画像形成装置（２００−１）において印刷処理を行うまでの時間を短縮することが可能となる。以下、図７を参照しながら、第２の実施形態における画像形成システムについて説明する。
【００８０】
まず、ＯＳ（１０２）は、アプリケーション（１０１）から画像情報を受信し、プリンタドライバ（１０３）のＧＵＩ（１０３１）を呼び出し、プリンタドライバ（１０３）において変換可能な複数のＰＤＬの中から特定のＰＤＬをユーザに選択させるための処理と、情報処理装置（１００）と接続された複数の画像形成装置（２００−１〜Ｎ）の中から印刷処理を行う画像形成装置を選択させるための処理と、を行うことになる。
【００８１】
なお、ＯＳ（１０２）は、変換対象となるＰＤＬと、印刷対象となる画像形成装置と、が選択された場合には、アプリケーション（１０１）から受信した画像情報を中間データ変換手段（１０３２）に送信する。また、ＯＳ（１０２）は、変換対象のＰＤＬと、印刷対象の画像形成装置と、の選択情報を中間データ変換手段（１０３２）に送信する。
【００８２】
中間データ変換手段（１０３２）は、ＯＳ（１０２）から画像情報を受信し、該受信した画像情報をプリンタドライバ（１０３）の複数のＰＤＬ変換手段（１０３４−１〜Ｎ）においてＰＤＬに変換可能な中間データ形式に変換し、該変換した中間データ形式をＰＤＬ選択手段（１０３３）に送信すると共に、ＯＳ（１０２）から選択情報を受信し、該受信した選択情報をＰＤＬ選択手段（１０３３）に送信することになる。
【００８３】
ＰＤＬ選択手段（１０３３）は、中間データ変換手段（１０３２）から受信した選択情報を基に、第１のＰＤＬ変換手段（１０３４−１）を選択し、中間データ変換手段（１０３２）により変換した中間データ形式を第１のＰＤＬ変換手段（１０３４−１）に送信すると共に、第１のＰＤＬ変換手段（１０３４−１）において変換したＰＤＬを記憶部（１０４）に保存しておくように第１のＰＤＬ変換手段（１０３４−１）に命令する。
【００８４】
第１のＰＤＬ変換手段（１０３４−１）は、ＰＤＬ選択手段（１０３３）から受信した中間データ形式を画像形成装置（２００−１〜Ｎ）において解釈可能なＰＤＬに変換し、該変換したＰＤＬを印刷出力制御手段（１０３５）に送信すると共に、ＰＤＬを記憶部（１０４）に保存するように印刷出力制御手段（１０３５）に命令する。
【００８５】
印刷出力制御手段（１０３５）は、第１のＰＤＬ変換手段（１０３４−１）から受信したＰＤＬを記憶部（１０４）に一時的に保存する。
【００８６】
次に、ＰＤＬ選択手段（１０３３）は、第１のＰＤＬ変換手段（１０３４−１）においてＰＤＬ変換が終了したと判断すると、プレビューデータを生成するための第２のＰＤＬ変換手段（１０３４−２）に対し、中間データ形式を送信する。
【００８７】
第２のＰＤＬ変換手段（１０３４−２）は、ＰＤＬ選択手段（１０３３）から受信した中間データ形式を基に、プレビュー用の画像情報を生成し、該生成したプレビュー用の画像情報を印刷出力制御手段（１０３５）に送信する。
【００８８】
印刷出力制御手段（１０３５）は、第２のＰＤＬ変換手段（１０３４−２）から受信したプレビュー用の画像情報を、ＧＵＩ（１０３１）により選択指定されたプレビュー用のアプリケーション（１０６）に対して送信する。
【００８９】
プレビュー用のアプリケーション（１０６）は、印刷出力制御手段（１０３５）から受信したプレビュー用の画像情報を基に、印刷プレビューを実行することになる。
【００９０】
なお、プレビュー用のアプリケーション（１０６）から印刷要求を受け付けると、印刷出力制御手段（１０３５）は、記憶部（１０４）に一時的に保存したＰＤＬの印刷処理を実行することになり、印刷出力制御手段（１０３５）は、記憶部（１０４）に一時的に保存したＰＤＬを印刷対象の画像形成装置（２００−１）に送信し、印刷対象の画像形成装置（２００−１）において印刷処理を行うことになる。これにより、プレビュー表示をした複数のＰＤＬの印刷要求を受け付けた後に、印刷対象の画像形成装置（２００−１）において印刷処理を行うまでの時間を短縮することが可能となる。
【００９１】
（第３の実施形態）
次に、第３の実施形態について説明する。
【００９２】
第３の実施形態における画像形成システムは、ＰＤＬ変換手段（１０３４−１〜Ｎ）により変換した複数のＰＤＬを特定の画像形成装置（２００−１）において保存するように制御し、ＰＤＬ変換手段（１０３４−１〜Ｎ）により変換した複数のＰＤＬをプレビュー表示する。そして、印刷出力制御手段（１０３５）は、プレビュー表示した複数のＰＤＬの印刷要求を受け付けた際に、印刷要求を特定の画像形成装置（２００−１）に送信し、特定の画像形成装置（２００−１）において印刷処理を行うように制御することを特徴とするものである。これにより、プレビュー表示をした複数のＰＤＬの印刷要求を受け付けた後に、画像形成装置（２００−１）において印刷処理を行うまでの時間を短縮することが可能となる。以下、図８を参照しながら、第３の実施形態における画像形成システムについて詳細に説明する。
【００９３】
まず、ＯＳ（１０２）は、アプリケーション（１０１）から画像情報を受信し、プリンタドライバ（１０３）のＧＵＩ（１０３１）を呼び出し、プリンタドライバ（１０３）において変換可能な複数のＰＤＬの中から特定のＰＤＬをユーザに選択させるための処理と、情報処理装置（１００）と接続された複数の画像形成装置（２００−１〜Ｎ）の中から印刷処理を行う画像形成装置を選択させるための処理と、を行うことになる。
【００９４】
なお、ＯＳ（１０２）は、変換対象となるＰＤＬと、印刷対象となる画像形成装置と、が選択された場合には、アプリケーション（１０１）から受信した画像情報を中間データ変換手段（１０３２）に送信する。また、ＯＳ（１０２）は、変換対象のＰＤＬと、印刷対象の画像形成装置と、の選択情報を中間データ変換手段（１０３２）に送信する。
【００９５】
中間データ変換手段（１０３２）は、ＯＳ（１０２）から画像情報を受信し、該受信した画像情報をプリンタドライバ（１０３）の複数のＰＤＬ変換手段（１０３４−１〜Ｎ）においてＰＤＬに変換可能な中間データ形式に変換し、該変換した中間データ形式をＰＤＬ選択手段（１０３３）に送信すると共に、ＯＳ（１０２）から選択情報を受信し、該受信した選択情報をＰＤＬ選択手段（１０３３）に送信することになる。
【００９６】
ＰＤＬ選択手段（１０３３）は、中間データ変換手段（１０３２）から受信した選択情報を基に、第１のＰＤＬ変換手段（１０３４−１）を選択し、中間データ変換手段（１０３２）により変換した中間データ形式を第１のＰＤＬ変換手段（１０３４−１）に送信すると共に、第１のＰＤＬ変換手段（１０３４−１）において変換したＰＤＬを印刷対象の画像形成装置の記憶部（２０１）に保存しておくように第１のＰＤＬ変換手段（１０３４−１）に命令する。
【００９７】
第１のＰＤＬ変換手段（１０３４−１）は、ＰＤＬ選択手段（１０３３）から受信した中間データ形式を画像形成装置（２００−１〜Ｎ）において解釈可能なＰＤＬに変換し、該変換したＰＤＬを印刷出力制御手段（１０３５）に送信すると共に、ＰＤＬを印刷対象の画像形成装置の記憶部（２０１）に保存するように印刷出力制御手段（１０３５）に命令する。
【００９８】
印刷出力制御手段（１０３５）は、第１のＰＤＬ変換手段（１０３４−１）において変換したＰＤＬを印刷対象の画像形成装置（２００−１）に送信し、画像形成装置（２００−１）の記憶部（２０１）にＰＤＬを一時的に保存する。
【００９９】
次に、ＰＤＬ選択手段（１０３３）は、第１のＰＤＬ変換手段（１０３４−１）においてＰＤＬ変換が終了したと判断すると、プレビューデータを生成するための第２のＰＤＬ変換手段（１０３４−２）に対し、中間データ形式を送信する。
【０１００】
第２のＰＤＬ変換手段（１０３４−２）は、ＰＤＬ選択手段（１０３３）から受信した中間データ形式を基に、プレビュー用の画像情報を生成し、該生成したプレビュー用の画像情報を印刷出力制御手段（１０３５）に送信する。
【０１０１】
印刷出力制御手段（１０３５）は、第２のＰＤＬ変換手段（１０３４−２）から受信したプレビュー用の画像情報を、ＧＵＩ（１０３１）により選択指定されたプレビュー用のアプリケーション（１０６）に対して送信する。
【０１０２】
プレビュー用のアプリケーション（１０６）は、印刷出力制御手段（１０３５）から受信したプレビュー用の画像情報を基に、印刷プレビューを実行することになる。
【０１０３】
なお、プレビュー用のアプリケーション（１０６）から印刷要求を受け付けると、印刷出力制御手段（１０３５）は、印刷対象の画像形成装置（２００−１）に対し、印刷要求を送信する。
【０１０４】
印刷対象の画像形成装置（２００−１）は、印刷出力制御手段（１０３５）から印刷要求を受信した場合に、画像形成装置（２００−１）の記憶部（２０１）に一時的に保存したＰＤＬを基に印刷処理を行うことになる。これにより、プレビュー表示をした複数のＰＤＬの印刷要求を受け付けた後に、印刷対象の画像形成装置（２００−１）において印刷処理を行うまでの時間を短縮することが可能となる。
【０１０５】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１０６】
例えば、上述した実施形態における画像形成システムを構成する情報処理装置（１００）、画像形成装置（２００−１〜Ｎ）等における制御動作は、ハード構成ではなく、コンピュータプログラム等のソフトウェアにより実行することも可能であり、また、上記のプログラムは、光記録媒体、磁気記録媒体、光磁気記録媒体、または半導体等の記録媒体に記録し、その記録媒体から上記プログラムを、情報処理装置（１００）、画像形成装置（２００−１〜Ｎ）に読み込ませることで、上述した制御動作を、情報処理装置（１００）、画像形成装置（２００−１〜Ｎ）において実行させることも可能である。また、所定のネットワークを介して接続されている外部機器から上記プログラムを情報処理装置（１００）、画像形成装置（２００−１〜Ｎ）に読み込ませることで、上述した制御動作を、情報処理装置（１００）、画像形成装置（２００−１〜Ｎ）において実行させることも可能である。
【産業上の利用可能性】
【０１０７】
本発明にかかる画像形成システム、情報処理装置、印刷制御方法及び印刷制御プログラムは、情報処理装置から特定の画像形成装置に対し、画像情報を送信し、その特定の画像形成装置において画像情報を印刷することが可能なシステムに適用可能である。
【図面の簡単な説明】
【０１０８】
【図１】本実施形態の画像形成システムのシステム構成を示す図である。
【図２】本実施形態の画像形成システムを構成する情報処理装置（１００）の内部構成を示す図である。
【図３】ＰＤＬ変換手段（１０３４−１〜Ｎ）の各々において変換可能なＰＤＬ等の記述形式を管理する管理テーブルのテーブル構成例を示す図である。
【図４】プリンタドライバ（１０３）において変換可能な複数のＰＤＬを選択するための選択画面の表示例を示す図である。
【図５】情報処理装置（１００）と接続された複数の画像形成装置（２００−１〜Ｎ）を管理する管理テーブルのテーブル構成例を示す図である。
【図６】画像形成を行う画像形成装置を選択するための選択画面の表示例を示す図である。
【図７】第２の実施形態の画像形成システムを構成する情報処理装置（１００）の内部構成を示す図である。
【図８】第３の実施形態の画像形成システムを構成する情報処理装置（１００）の内部構成を示す図である。
【符号の説明】
【０１０９】
１００    情報処理装置
１０１    アプリケーション
１０２    ＯＳ
１０３    プリンタドライバ
１０３１    ＧＵＩ
１０３２    中間データ変換手段
１０３３    ＰＤＬ選択手段
１０３４−１〜Ｎ    ＰＤＬ変換手段
１０３５    印刷出力制御手段
１０４    記憶部
１０５    表示部
１０６    プレビュー用のアプリケーション
２００−１〜Ｎ    画像形成装置
２０１    記憶部
【図１】
2008046821.tif 000003
【図２】
2008046821.tif 000004
【図３】
2008046821.tif 000005
【図４】
2008046821.tif 000006
【図５】
2008046821.tif 000007
【図６】
2008046821.tif 000008
【図７】
2008046821.tif 000009
【図８】
2008046821.tif 000010